(57)【要約】例えばパーソナルコンピュータやワークステーション等のディスプレイに表示されるデスクトップ画面上での実画面の表示切替作業の煩雑さを解消するとともに、同デスクトップ画面上での作業の効率化を実現するために、参照・更新対象画面を含む一の主領域（３１）とこの参照・更新対象画面以外の画面を含む一以上の副領域（３２〜３５）とを、表示部（１１）において一のデスクトップ画面（３０）として表示し、このデスクトップ画面（３０）における一以上の副領域（３２〜３５）のうちの一つが指定されると、デスクトップ画面（３０）において、主領域（３１）の表示内容と指定された副領域の表示内容とを入れ替えて表示する。
2004051452.tif 000002
【特許請求の範囲】
【請求項１】
参照・更新対象画面を含む一の主領域（３１）と該参照・更新対象画面以外の画面を含む一以上の副領域（３２〜３５）とを、表示部（１１）において一のデスクトップ画面（３０）として表示する第１表示ステップと、
該デスクトップ画面（３０）における該一以上の副領域（３２〜３５）のうちの一つを指定する指定ステップと、
該デスクトップ画面（３０）において、該主領域（３１）の表示内容と該指定ステップで指定された該副領域の表示内容とを入れ替えて表示する第２表示ステップとをそなえたことを特徴とする、デスクトップ表示方法。
【請求項２】
該主領域（３１）および該一以上の副領域（３２〜３５）のそれぞれに、一以上のタスクに応じて表示される一以上のウィンドウが含まれていることを特徴とする、請求の範囲第１項記載のデスクトップ表示方法。
【請求項３】
該一以上の副領域（３２〜３５）が、その表示内容の概略を視認可能な程度の解像度で表示されることを特徴とする、請求の範囲第２項に記載のデスクトップ表示方法。
【請求項４】
該指定ステップで、該一以上の副領域（３２〜３５）のうちの一つを指定すると同時に、指定された該副領域に含まれる該一以上のウィンドウのうちの一つを指定し、
該第２表示ステップで、該デスクトップ画面（３０）において、該主領域（３１）の表示内容と指定された該副領域の表示内容とを入れ替えて表示すると同時に、指定された該ウィンドウを該主領域（３１）においてアクティブウィンドウとして表示することを特徴とする、請求の範囲第２項または第３項に記載のデスクトップ表示方法。
【請求項５】
該指定ステップで、該副領域と該ウィンドウとが、マウス（２０）を用いたワンクリック操作によって同時に指定されることを特徴とする、請求の範囲第４項に記載のデスクトップ表示方法。
【請求項６】
該指定ステップで該マウス（２０）のワンクリック操作によって発生したクリックイベントを、該主領域（３１）の表示状態を管理するオペレーティングシステムに通知するステップをさらにそなえ、
該第２表示ステップで、指定された該ウィンドウが、該オペレーティングシステムによってアクティブ化されることを特徴とする、請求の範囲第５項に記載のデスクトップ表示方法。
【請求項７】
該オペレーティングシステムが、該主領域（３１）および該一以上の副領域（３２〜３５）における該ウィンドウの表示位置を管理し、該マウス（２０）の操作に応じて、該主領域（３１）と該一以上の副領域（３２〜３５）との間で該ウィンドウの移動を行なうことを特徴とする、請求の範囲第６項に記載のデスクトップ表示方法。
【請求項８】
該オペレーティングシステムが、該マウス（２０）の操作に応じて、該主領域（３１）から該一以上の副領域（３２〜３５）のうちの一つへの、ファイルのドラッグドロップ操作を行なうことを特徴とする、請求の範囲第６項または第７項に記載のデスクトップ表示方法。
【請求項９】
該表示部（１１）において一の多面体を表示し、該多面体を成す複数面をそれぞれ該主領域（３１）および該一以上の副領域（３２〜３５）として用いることを特徴とする、請求の範囲第１項〜第８項のいずれか１項に記載のデスクトップ表示方法。
【請求項１０】
参照・更新対象画面を含む一の主領域（３１）と該参照・更新対象画面以外の画面を含む一以上の副領域（３２〜３５）とを一のデスクトップ画面（３０）として表示する表示部（１１）と、
該表示部（１１）における表示状態を制御する表示制御部（１２）と、
該デスクトップ画面（３０）における該一以上の副領域（３２〜３５）のうちの一つを指定する指定手段（２０）とをそなえ、
該表示制御部（１２）が、該デスクトップ画面（３０）において、該主領域（３１）の表示内容と該指定手段（２０）によって指定された該副領域の表示内容とを入れ替えて表示させることを特徴とする、デスクトップ表示装置。
【請求項１１】
該主領域（３１）および該一以上の副領域（３２〜３５）のそれぞれに、一以上のタスクに応じて表示される一以上のウィンドウが含まれていることを特徴とする、請求の範囲第１０項記載のデスクトップ表示装置。
【請求項１２】
該表示制御部（１２）が、該一以上の副領域を、その表示内容の概略を視認可能な程度の解像度で該表示部（１１）に表示させることを特徴とする、請求の範囲第１１項に記載のデスクトップ表示装置。
【請求項１３】
該指定手段（２０）が、該一以上の副領域（３２〜３５）のうちの一つと、指定された該副領域に含まれる該一以上のウィンドウのうちの一つとを同時に指定可能に構成され、
該表示制御部（１２）が、該デスクトップ画面（３０）において、該主領域（３１）の表示内容と指定された該副領域の表示内容とを入れ替えて表示させると同時に、指定された該ウィンドウを該主領域（３１）においてアクティブウィンドウとして表示させることを特徴とする、請求の範囲第１１項または第１２項に記載のデスクトップ表示装置。
【請求項１４】
該指定手段（２０）がマウスによって構成され、
該副領域と該ウィンドウとが、該マウス（２０）を用いたワンクリック操作によって同時に指定されることを特徴とする、請求の範囲第１３項に記載のデスクトップ表示装置。
【請求項１５】
該表示制御部（１２）が、該主領域（３１）の表示状態を管理するオペレーティングシステムによって構成されるとともに、
該マウス（２０）のワンクリック操作によって発生したクリックイベントを、該オペレーティングシステムに通知する通知手段（１３）をさらにそなえ、
該オペレーティングシステムが、該マウス（２０）のワンクリック操作によって指定された該ウィンドウをアクティブ化することを特徴とする、請求の範囲第１４項に記載のデスクトップ表示装置。
【請求項１６】
該オペレーティングシステムが、該主領域（３１）および該一以上の副領域（３２〜３５）における該ウィンドウの表示位置を管理し、該マウス（２０）の操作に応じて、該主領域（３１）と該一以上の副領域（３２〜３５）との間で該ウィンドウの移動を行なうことを特徴とする、請求の範囲第１５項に記載のデスクトップ表示装置。
【請求項１７】
該オペレーティングシステムが、該マウス（２０）の操作に応じて、該主領域（３１）から該一以上の副領域（３２〜３５）のうちの一つへの、ファイルのドラッグドロップ操作を行なうことを特徴とする、請求の範囲第１５項または第１６項に記載のデスクトップ表示装置。
【請求項１８】
該表示制御部（１２）が、該表示部（１１）において一の多面体を表示させ、該多面体を成す複数面をそれぞれ該主領域（３１）および該一以上の副領域（３２〜３５）として用いることを特徴とする、請求の範囲第１０項〜第１７項のいずれか１項に記載のデスクトップ表示装置。
【請求項１９】
表示部（１１）にデスクトップ画面（３０）を表示させるためのデスクトップ表示プログラムであって、
参照・更新対象画面を含む一の主領域（３１）と該参照・更新対象画面以外の画面を含む一以上の副領域（３２〜３５）とを、該表示部（１１）において一のデスクトップ画面（３０）として表示する第１表示ステップと、
外部からの指示に従って、該デスクトップ画面（３０）における該一以上の副領域（３１〜３５）のうちの一つを指定する指定ステップと、
該デスクトップ画面（３０）において、該主領域（３１）の表示内容と該指定ステップで指定された該副領域の表示内容とを入れ替えて表示する第２表示ステップとをコンピュータに実行させることを特徴とする、デスクトップ表示プログラム。
【請求項２０】
表示部（１１）にデスクトップ画面（３０）を表示させるためのデスクトップ表示プログラムを記録したコンピュータ読取可能な記録媒体であって、
該デスクトップ表示プログラムが、
参照・更新対象画面を含む一の主領域（３１）と該参照・更新対象画面以外の画面を含む一以上の副領域（３２〜３５）とを、該表示部（１１）において一のデスクトップ画面（３０）として表示する第１表示ステップと、
外部からの指示に従って、該デスクトップ画面（３０）における該一以上の副領域（３２〜３５）のうちの一つを指定する指定ステップと、
該デスクトップ画面（３０）において、該主領域（３１）の表示内容と該指定ステップで指定された該副領域の表示内容とを入れ替えて表示する第２表示ステップとをコンピュータに実行させることを特徴とする、デスクトップ表示プログラムを記録したコンピュータ読取可能な記録媒体。
【発明の詳細な説明】
【技術分野】  本発明は、例えばパーソナルコンピュータやワークステーション等のディスプレイ（表示部）でデスクトップ画面を表示するための技術に関する。
【背景技術】  パーソナルコンピュータやワークステーションでは、ウィンドウをユーザインターフェースとした環境が主流になりつつある。このような環境下で作業を行なう場合、ディスプレイの画面上において複数のアプリケーションウィンドウを同時に開き、アクティブウィンドウ（参照・更新対象のウィンドウ）を適宜選択して切り替えながら作業を行なっていくスタイルが一般的になっている。
しかし、当然、ディスプレイの画面の大きさには限りがあり、多くのウィンドウを同時に開くとウィンドウどうしが重なり合い、表示内容が見難くなってしまう。
そこで、近年、ディスプレイに表示可能な画面を仮想的に拡張し、実際にディスプレイに表示されている実画面以外の部分は仮想空間に存在するものと想定し、実画面と仮想空間内の画面とを切り替えながら作業を行なえるようにした、バーチャルデスクトップを利用する場合がある。
この場合、例えば図１１に示すようなバーチャルデスクトップ画面２がディスプレイ１において表示される。この図１１に示す例では、バーチャルデスクトップ画面（実画面）２において、３つのウィンドウ３ａ，３ｂ，３ｃが開かれ、ウィンドウ３ａがアクティブとなっている。これらのウィンドウ３ａ，３ｂ，３ｃを含む表示領域が、実際にディスプレイ１に表示されている実画面の領域である。
また、バーチャルデスクトップ画面２上には、セレクタイメージ４が最上面に常駐するように表示されている。このセレクタイメージ４は、実画面上での作業の妨げにならない程度の大きさの小矩形領域で、ディスプレイ１に表示可能な画面の全領域（全仮想空間；図１１では実画面４つ分の領域）についての地図イメージであり、上記実画面４つ分の領域にそれぞれ対応した４つの領域４ａ，４ｂ，４ｃ，４ｄに分割されている。
セレクタイメージ４においては、上記全領域で現在開かれているウィンドウのフレームがマップされて表示され、これにより、オペレータ等は、現在開かれているウィンドウが上記全領域のどこに存在するかを認識することができるようになっている。このとき、セレクタイメージ４は、かなり小さな矩形領域であるため、このセレクタイメージ４内では、存在位置が分かるようにウィンドウのフレームのみが表示され、各ウィンドウ内における具体的な表示内容は表示されていない。
そして、オペレータ等は、マウスを操作し、セレクタイメージ４における所望の領域（オペレータ等が表示させることを望む領域；領域４ａ〜４ｄのいずれか一つ）にカーソルを合わせてクリック（指定）することにより、指定された領域に対応する仮想空間を実画面としてバーチャルデスクトップ画面２に表示させることができるようになっている。
図１１に示す例では、セレクタイメージ４における領域４ａが選択され、３つのウィンドウ３ａ，３ｂ，３ｃを開かれた領域４ａが、バーチャルデスクトップ画面２において実画面として表示されている。
なお、セレクタイメージ４は、実画面上での作業の妨げにならないように、移動させたり最小化させたりすることも可能である。
次に、上述のようなバーチャルデスクトップ画面２での実画面の表示切替手順について、図１２に示すフローチャート（ステップＳ１〜Ｓ５）に従い、且つ、図１３〜図１６に示すバーチャルデスクトップ画面２の具体的な表示状態を参照しながら説明する。
オペレータ等が、現在、バーチャルデスクトップ画面２に表示されていないが既に開かれて仮想空間内に存在するウィンドウを実画面として表示させ、そのウィンドウをアクティブ化して作業を行なうことを望む場合、例えば図１３に示すごとく、まず、マウスを操作し、セレクタイメージ４における所望の領域（オペレータ等が表示させることを望む領域；領域４ａ〜４ｄのいずれか一つ）にカーソル５を合わせてクリック（マウスの左ボタンを押下）する（ステップＳ１）。なお、図１３に示す例では、実画面としてセレクタイメージ４の領域４ａが表示された状態で、セレクタイメージ４の領域４ｃを実画面として表示すべく、カーソル５が領域４ｃの位置に合わされている。
図１３に示す状態で領域４ｃをクリックすると、図１４に示すように、セレクタイメージ４の領域４ｃに対応する仮想空間が、バーチャルデスクトップ画面２において実画面として表示される（ステップＳ２）。これにより、オペレータ等は、セレクタイメージ４の領域４ｃに対応する仮想空間で開かれているウィンドウ（図１４では符号３ｄ，３ｅを付したウィンドウ）の表示内容を視認することが可能になる。この時点で表示されたウィンドウ３ｄ，３ｅはいずれも非アクティブ状態である。
そして、オペレータ等は、ウィンドウ３ｄ，３ｅの表示内容をバーチャルデスクトップ画面２上で参照し、目的のウィンドウが存在しているか否かを判断する（ステップＳ３）。存在しない場合（ＮＯルート）、ステップＳ１に戻り、セレクタイメージ４における、領域４ａ，４ｃ以外の領域４ｂまたは４ｄを指定して表示させ、上述と同様の判断を行なうことになる。
目的のウィンドウが存在している場合（ＹＥＳルート；ここでは図１４において符号３ｅを付したウィンドウが目的のものであるとする）、オペレータ等は、目的のウィンドウ３ｅをアクティブ化すべく、図１５に示すように、その目的のウィンドウ３ｅにカーソル５を合わせてクリックする（ステップＳ４）。このクリック操作に応じて、図１６に示すように、目的のウィンドウ３ｅがオペレーティングシステムによりアクティブ化されることになる。
上述のように、従来のバーチャルデスクトップ画面２では、実画面として、仮想空間の一部（上述の例は４画面分の領域４ａ〜４ｄのうちのひとつだけ）が表示されるため、オペレータ等が他の領域に存在するウィンドウで作業を行なうことを望む場合には、図１２〜図１６を参照しながら上述した手順で実画面の表示切替を行なう必要があり、以下のような課題（１−１）〜（１−３）があった。
（１−１）セレクタイメージ４は、バーチャルデスクトップ画面２においてウィンドウ最上面に常駐させることが可能であるが、このようなセレクタイメージ４の存在は作業の妨げとなる場合が多く、セレクタイメージ４を頻繁に移動もしくは最小化する必要があり、そのための操作がオペレータ等にとって面倒なものであった。
（１−２）セレクタイメージ４内においては、各領域４ａ〜４ｄに対応する仮想空間で開かれたウィンドウの位置のみがフレームとして表示されているだけであるため、オペレータ等は、どこにどのようなアプリケーションウィンドウを配置したかを即座に認識することができず、目的のウィンドウが存在する仮想空間を実画面として表示させるには、仮想空間の表示切替作業（図１２のステップＳ１〜Ｓ３）を繰り返し行なう必要が生じる場合があり、その表示切替作業がオペレータ等にとって面倒なものであった。
（１−３）セレクタイメージ４内の領域４ａ〜４ｄのいずれか一つを選択して実画面の表示切替を行なった後、目的のウィンドウで作業を行なうためには、さらに、その目的のウィンドウを選択しアクティブ化する操作が必要であり、その操作がオペレータ等にとって面倒なものであった。例えば図１２〜図１６を参照しながら上述した表示切替作業では、バーチャルデスクトップ画面２上で、目的のウィンドウを表示させてアクティブ化するまでに、最小で２回のクリック操作が必要になる。
本発明は、このような課題に鑑み創案されたもので、実画面上に表示されていない仮想空間の表示内容を、実画面での作業の妨げにならない程度に、実画面とともに表示できるようにして、実画面の表示切替作業の煩雑さを解消するとともに、パーソナルコンピュータやワークステーション等のディスプレイに表示されるデスクトップ画面上での作業の効率化を実現することを目的とする。
【発明の開示】
上記目的を達成するために、本発明のデスクトップ表示方法は、参照・更新対象画面を含む一の主領域と該参照・更新対象画面以外の画面を含む一以上の副領域とを、表示部において一のデスクトップ画面として表示する第１表示ステップと、該デスクトップ画面における該一以上の副領域のうちの一つを指定する指定ステップと、該デスクトップ画面において、該主領域の表示内容と該指定ステップで指定された該副領域の表示内容とを入れ替えて表示する第２表示ステップとをそなえたことを特徴としている。
また、本発明のデスクトップ表示装置は、参照・更新対象画面を含む一の主領域と該参照・更新対象画面以外の画面を含む一以上の副領域とを一のデスクトップ画面として表示する表示部と、該表示部における表示状態を制御する表示制御部と、該デスクトップ画面における該一以上の副領域のうちの一つを指定する指定手段とをそなえ、該表示制御部が、該デスクトップ画面において、該主領域の表示内容と該指定手段によって指定された該副領域の表示内容とを入れ替えて表示させることを特徴としている。
さらに、本発明のデスクトップ表示プログラムは、表示部にデスクトップ画面を表示させるためのものであって、参照・更新対象画面を含む一の主領域と該参照・更新対象画面以外の画面を含む一以上の副領域とを、該表示部において一のデスクトップ画面として表示する第１表示ステップと、外部からの指示に従って、該デスクトップ画面における該一以上の副領域のうちの一つを指定する指定ステップと、該デスクトップ画面において、該主領域の表示内容と該指定ステップで指定された該副領域の表示内容とを入れ替えて表示する第２表示ステップとをコンピュータに実行させることを特徴としている。そして、本発明のコンピュータ読取可能な記録媒体は、上記デスクトップ表示プログラムを記録したものである。
なお、該主領域および該一以上の副領域のそれぞれに、一以上のタスクに応じて表示される一以上のウィンドウが含まれ、該一以上の副領域が、その表示内容の概略を視認可能な程度の解像度で表示される。
また、該一以上の副領域のうちの一つが指定されると同時に、指定された該副領域に含まれる該一以上のウィンドウのうちの一つが指定され、該デスクトップ画面において、該主領域の表示内容と指定された該副領域の表示内容とが入れ替えて表示されると同時に、指定された該ウィンドウが該主領域においてアクティブウィンドウとして表示される。
このとき、該副領域と該ウィンドウとが、マウスを用いたワンクリック操作によって同時に指定される。また、該マウスのワンクリック操作によって発生したクリックイベントが、該主領域の表示状態を管理するオペレーティングシステムに通知され、指定された該ウィンドウが、該オペレーティングシステムによってアクティブ化される。
さらに、該オペレーティングシステムが、該主領域および該一以上の副領域における該ウィンドウの表示位置を管理し、該マウスの操作に応じて、該主領域と該一以上の副領域との間で該ウィンドウの移動を行なってもよいし、該オペレーティングシステムが、該マウスの操作に応じて、該主領域から該一以上の副領域のうちの一つへの、ファイルのドラッグドロップ操作を行なってもよい。
またさらに、該表示部において一の多面体を表示し、該多面体を成す複数面をそれぞれ該主領域および該一以上の副領域として用いてもよい。
上述した本発明によれば、以下のような作用効果（２−１）〜（２−６）を得ることができる。
（２−１）参照・更新対象画面を含む一の主領域とこの参照・更新対象画面以外の画面を含む一以上の副領域とが、表示部において一のデスクトップ画面として表示されるので、主領域に実画面を表示すると同時に副領域に実画面以外の仮想空間に存在する画面を表示することができる。また、副領域のうちの一つを指定すると、デスクトップ画面において、主領域の表示内容と指定された副領域の表示内容とが入れ替えられて表示される。従って、セレクタイメージが不要となって、セレクタイメージの存在が作業の妨げとなることがなくなる。
（２−２）副領域を指定するだけで、その副領域に対応する画面を主領域に参照・更新対象画面として表示させることができるので、実画面の表示切替作業の煩雑さが解消されるとともに、デスクトップ画面上での作業を大幅に効率化することができる。
（２−３）実画面上に表示されていない仮想空間の表示内容が、実画面での作業の妨げにならない程度に（表示内容の概略を視認可能な程度の解像度で）、実画面とともにデスクトップ画面上で表示されるので、オペレータ等は、仮想空間における複数のウィンドウ内に表示されている内容を参照・比較しながら操作することができる。従って、オペレータ等は、目的とするウィンドウがどこに存在するかを即座に認識することができ、従来のごとく表示切替作業を繰り返す必要がなくなり、デスクトップ画面上での作業効率をより高めることができる。
（２−４）仮想空間の内容が視覚化されているため、切替対象仮想空間（副領域）を選択すると同時に、目的のウィンドウを同時に選択することができるので、実画面の表示切替からウィンドウのアクティブ化までを一度の選択作業（ワンクリック操作）で行なうことが可能になり、デスクトップ画面上での作業効率をより高めることができる。
（２−５）従来のバーチャルデスクトップ表示手法では、ウィンドウを異なる領域に移動させる際、実画面の表示切替を行なう必要があったが、本発明によれば、実画面の表示切替を行なうことなく、マウスの操作に応じて主領域と副領域との間でウィンドウの移動を行なうことが可能になり、オペレータ等の利便性が大幅に向上する。
（２−６）従来のバーチャルデスクトップ表示手法では、仮想空間に存在するウィンドウへファイルのドラッグドロップ操作を行なう場合、実画面の表示切替を行なう必要があったが、本発明によれば、実画面の表示切替を行なうことなく、マウスの操作に応じて主領域から副領域へのファイルのドラッグドロップ操作を行なうことが可能になり、オペレータ等の利便性が大幅に向上する。
【図面の簡単な説明】  図１は本発明の一実施形態としてのデスクトップ表示装置（パーソナルコンピュータ）の構成を示すブロック図である。
図２は本実施形態のデスクトップ画面の表示例を示す図である。
図３は本実施形態のデスクトップ画面での実画面の表示切替手順を説明するためのフローチャートである。
図４および図５は、いずれも、本実施形態のデスクトップ画面での実画面の表示切替手順を説明すべく、デスクトップ画面の具体的な表示状態を示す図である。
図６は本実施形態のメモリに確保される仮想空間領域について説明するための図である。
図７は本実施形態の表示ＲＡＭにおける画像データ書込領域の分割状態および座標系を具体的に示す図である。
図８は本実施形態の仮想空間領域管理テーブルの具体例を示す図である。
図９は本実施形態の表示切替動作を詳細に説明するためのフローチャートである。
図１０（Ａ）〜図１０（Ｃ）はいずれも本実施形態のデスクトップ画面の変形例を示す図である。
図１１は従来のバーチャルデスクトップ画面の表示例を示す図である。
図１２は従来のバーチャルデスクトップ画面での実画面の表示切替手順を説明するためのフローチャートである。
図１３〜図１６は、いずれも、従来のバーチャルデスクトップ画面での実画面の表示切替手順を説明すべく、バーチャルデスクトップ画面の具体的な表示状態を示す図である。
【発明を実施するための最良の形態】  以下、図面を参照して本発明の実施の形態を説明する。
本発明の一実施形態としてのデスクトップ表示装置は、図１に示すように、マウス２０を付設されたパーソナルコンピュータ１０によって構成されている。また、パーソナルコンピュータ１０は、ディスプレイ１１，ＣＰＵ（Ｃｅｎｔｒａｌ  Ｐｒｏｃｅｓｓｉｎｇ  Ｕｎｉｔ）１２，入出力インタフェース１３，メモリ１４および表示ＲＡＭ（Ｒａｎｄｏｍ  Ａｃｃｅｓｓ  Ｍｅｍｏｒｙ）１５を、バス１６により相互に通信可能に接続して構成されている。
ここで、ディスプレイ１１は、具体的にはＣＲＴ（Ｃａｔｈｏｄｅ  Ｒａｙ  Ｔｕｂｅ），ＬＣＤ（Ｌｉｑｕｉｄ  Ｃｒｙｓｔａｌ  Ｄｉｓｐｌａｙ），ＰＤＰ（Ｐｌａｓｍａ  Ｄｉｓｐｌａｙ  Ｐａｎｅｌ）等の表示装置で、例えば図２に示すような多次元バーチャルデスクトップ画面３０を表示する表示部としての機能を果たすものである。
ＣＰＵ１２は、メモリ１４に記憶された各種プログラムを読み出して実行することにより演算処理や制御を行なうもので、ディスプレイ１１における表示状態を制御する表示制御部としての機能を果たすものである。
入出力インタフェース１３は、ここではマウス２０を接続され、このマウス２０をオペレータ等が操作することによって入力される指示情報（例えばマウス２０のワンクリック操作によって発生したクリックイベント）を、バス１６を介して、オペレーティングシステムの機能を果たすＣＰＵ１２へ通知する通知手段としての機能を果たすものである。
メモリ１４は、各種プログラム（後述するデスクトップ表示プログラムを含む）を記憶するほか、ＣＰＵ１２が演算処理や制御を行なう際のワーキングメモリとしての機能を果たすものである。
表示ＲＡＭ１５は、ディスプレイ１１に表示されるべき画面データを、ＣＰＵ１２（表示制御部）によって一時的に書き込まれるものである。
マウス２０は、前述の通りパーソナルコンピュータ１０に接続され、後述するごとく、デスクトップ画面３０における複数（本実施形態では４つ）の副領域３２〜３５（図２参照）のうちの一つを指定する指定手段としての機能を果たすものである。
そして、本実施形態では、ディスプレイ１１に表示されるデスクトップ画面３０は、例えば図２に示すごとく、参照・更新対象画面（実画面）を含む一の主領域３１と、この参照・更新対象画面以外の画面（仮想画面）を含む４つの副領域３２，３３，３４，３５とから構成されている。特に、本実施形態のデスクトップ画面３０では、直方体（多面体）が立体的に表示され、中央の領域が主領域３１として用いられ、この主領域３１を囲む４つの外周面の領域がそれぞれ４つの副領域３２〜３５として用いられている。これらの５つの領域３１〜３５によって、ディスプレイ１１に表示可能な画面の全領域（全仮想空間；５画面分の領域）が表示される。
また、領域３１〜３５のそれぞれには、一以上のタスクに応じて表示される一以上のウィンドウが含まれている。図２に示す例では、主領域３１で２つのウィンドウ３１ａ，３１ｂが開かれ、副領域３２で２つのウィンドウ３２ａ，３２ｂが開かれ、副領域３３で１つのウィンドウ３３ａが開かれ、副領域３４で２つのウィンドウ３４ａ，３４ｂが開かれ、副領域３５でウィンドウは開かれていない。
さらに、主領域３１は、オペレータ等が実際にアクセスして参照・更新を行なう実画面を表示する領域であり、その主領域３１の表示内容は通常通りの解像度で表示される。これに対し、４つの副領域３２〜３５は、現在は参照・更新の対象になっていない仮想空間の領域を仮想画面として表示する領域であり、これらの副領域３２〜３５の表示内容は、主領域３１よりも低い解像度、より具体的にはその表示内容の概略をオペレータ等によって視認可能な程度の解像度で表示される。従って、オペレータ等は、主領域３１の表示内容を視認できることはいうまでもなく、４つの副領域３２〜３５の表示内容の概略（どのようなウィンドウが開かれているか）も視認できるようになっている。
上述したデスクトップ画面３０における表示状態は、全て、ＣＰＵ１２の表示制御部としての機能（オペレーティングシステム）によって制御される。
また、本実施形態のＣＰＵ１２（オペレーティングシステム）は、デスクトップ画面３０において、主領域３１の表示内容と、マウス２０によって指定された副領域３２〜３５のいずれか一つの表示内容とを入れ替えて表示させる機能も有している。
より具体的に、本実施形態では、オペレータ等がマウス２０をワンクリック操作して、４つの副領域３２〜３５のうちの一つと指定された領域に含まれるウィンドウのうちの一つとを同時に指定できるように構成されている。そして、マウス２０のワンクリック操作によって発生したクリックイベントが、入出力インタフェース１３およびバス１６を通じてＣＰＵ１２（オペレーティングシステム）に通知されると、ＣＰＵ１２は、デスクトップ画面３０において、主領域３１の現在の表示内容とワンクリック操作により指定された副領域の表示内容とを入れ替えて表示させると同時に、ワンクリック操作により指定されたウィンドウを主領域３１においてアクティブウィンドウとして表示させる。
さらに、本実施形態のＣＰＵ１２（オペレーティングシステム）は、領域３１〜３５におけるウィンドウの表示位置を管理し、マウス３０の操作に応じて、主領域３１と一以上の副領域３２〜３５との間でウィンドウの移動を行なう機能を有するとともに、マウス３０の操作に応じて、主領域３１から一以上の副領域３２〜３５のうちの一つへの、ファイルのドラッグドロップ操作を行なう機能も有している。
上述したＣＰＵ１２の表示制御部（オペレーティングシステム）としての機能は、ディスプレイ１１にデスクトップ画面を表示させるためのデスクトップ表示プログラムをＣＰＵ１２が実行することによって実現される。このデスクトップ表示プログラムは、参照・更新対象画面（実画面）を含む一の主領域３１とこの参照・更新対象画面以外の画面（仮想画面）を含む一以上の副領域３２〜３５とをディスプレイ１１において一のデスクトップ画面３０として表示する第１表示ステップと、外部からの指示（本実施形態ではマウス２０からの指示）に従ってデスクトップ画面３０における一以上の副領域３２〜３５のうちの一つを指定する指定ステップと、デスクトップ画面３０において主領域３１の表示内容と上記指定ステップで指定された副領域の表示内容とを入れ替えて表示する第２表示ステップとをＣＰＵ１２（コンピュータ）に実行させるように作成されたものである。
このデスクトップ表示プログラムは、例えばフレキシブルディスク，ＣＤ−ＲＯＭ，ＣＤ−Ｒ，ＣＤ−ＲＷ，ＤＶＤ等のコンピュータ読取可能な記録媒体に記録された形態で提供される。本実施形態においては、パーソナルコンピュータ１０内のメモリ１４等にデスクトップ表示プログラムを予め格納しておき、このデスクトップ表示プログラムを、ＣＰＵ１２により読み出して実行することで、上述した表示制御部（オペレーティングシステム）としての機能が実現される。
なお、デスクトップ表示プログラムは、例えば磁気ディスク，光ディスク，光磁気ディスク等の記憶装置（記録媒体）に記録しておき、その記憶装置から通信経路を介してコンピュータに提供されてもよい。
次に、上述のごとく構成された本実施形態のデスクトップ表示装置（パーソナルコンピュータ１０）の基本的な動作について、図３〜図５を参照しながら説明する。
まず、上述したデスクトップ画面３０での実画面の表示切替手順について、図３に示すフローチャート（ステップＳ１１およびＳ１２）に従い、且つ、図４および図５に示すデスクトップ画面３０の具体的な表示状態を参照しながら説明する。
ディスプレイ１１では、例えば図４に示すデスクトップ画面３０（図２に示したデスクトップ画面３０とほぼ同様のもの）が既に表示されているものとする（第１表示ステップ）。このデスクトップ画面３０を参照しながら、オペレータ等は、主領域３１におけるアクティブウィンドウ３１ａに対する参照・更新を行なっている。
このような状態で、オペレータ等が現在のアクティブウィンドウ３１ａ以外のウィンドウをアクティブ化して作業を行なうことを望む場合、オペレータ等は、デスクトップ画面３０の主領域３１の他のウィンドウ３１ｂを参照するとともに、副領域３２〜３５（仮想空間内）において低解像で概略表示されているウィンドウを参照し、所望（目的）のウィンドウを探す。
オペレータ等は、目的のウィンドウ（ここでは例えば副領域３４におけるウィンドウ３４ａが目的のものであるとする）を認識すると、図４に示すように、マウス３０を操作して、副領域３４におけるウィンドウ３４ａにカーソル３６を合わせてワンクリック操作つまりマウス３０の左ボタンを１回押下する。これにより、主領域３１に表示すべき仮想画面（図４の副領域３４）が選択・指定されると同時に、アクティブ化すべき目的のウィンドウ３４ａが選択・指定される（ステップＳ１１；指定ステップ）。
上述のようなワンクリック操作（クリックイベント）に応じて、ＣＰＵ１２は、図５に示すように、主領域３１に現在表示中の表示内容と、選択された副領域３４に対応する仮想空間の表示内容とを入れ替えて表示すると同時に、目的のウィンドウ３４ａをアクティブ化する（第２表示ステップ）。なお、図５の主領域３１におけるウィンドウ３１ａ´および３１ｂ´は、それぞれ、図４の副領域３４におけるウィンドウ３４ａおよび３４ｂに対応するものである。また、図５の副領域３４におけるウィンドウ３４ａ´および３４ｂ´は、それぞれ、図４の主領域３１におけるウィンドウ３１ａおよび３１ｂに対応するものである。
つづいて、本実施形態のデスクトップ表示装置（パーソナルコンピュータ１０）による表示切替動作について、図６〜図９を参照しながら詳細に説明する。
ＣＰＵ１２は、図２に示すような多次元バーチャルデスクトップ画面３０をディスプレイ１１に表示させる際、図６に示すように、メモリ１４（システムメモリ）において仮想空間領域を確保する。
この図６に示すメモリ１４においては、主領域３１に表示されるべき実画面（現表示画面）のための矩形領域が確保されるとともに、４つの副領域３２〜３５にそれぞれ表示されるべき４つの仮想画面のための矩形領域（実画面と同様の矩形領域）が仮想空間領域として確保されている。このとき、これら５つの矩形領域に対しては、シーケンシャルな番号ｉ＝１，２，３，４，５がそれぞれ付与されている。また、実画面（ｉ＝１）内および４つの仮想画面（ｉ＝２〜５）内における２次元座標位置は、それぞれ（Ｘｉ，Ｙｉ）（ｉ＝１〜５）として表されるものとする。
また、ＣＰＵ１２は、図２に示すような多次元バーチャルデスクトップ画面３０をディスプレイ１１に表示させる際、図７に示すように、表示ＲＡＭ１５において、ディスプレイ１１に表示されるべき画面データ（デスクトップ画面３０のデータ）を書き込まれる矩形領域を、領域３１〜３５に対応する５つの閉域領域（閉域空間，ポリゴン）に分割するとともに、座標系を設定する。
このとき、分割された５つの閉域領域には、シーケンシャルな丸付き数字１，２，３，４，５がそれぞれ付与される。そして、表示ＲＡＭ１５の閉域領域▲１▼〜▲５▼は、それぞれ、デスクトップ画面３０の副領域３２，副領域３５，主領域３１，副領域３３および副領域３４に対応している。また、表示ＲＡＭ１５内の座標系の原点は、画面データを書き込まれる矩形領域の左上頂点とし、図７中の右方向をＸ軸方向、図７中の下方向をＹ軸方向とする。さらに、各閉域領域▲１▼〜▲５▼内における２次元座標位置は、それぞれ（ｘｊ，ｘｊ）（ｊ＝１〜５）として表されるものとする。
そして、ＣＰＵ１２は、図６に示す画面ｉ（ｉ＝１〜５）を、図７に示す閉域領域▲１▼〜▲５▼のいずれか一つに写像する際には、予め与えられた下記マッピング変換関数を用いて平面座標マッピングを行なう。
マッピング関数ｆｊ（Ｘｉ，Ｙｉ）＝（ｘｊ，ｙｊ）
ただし、ｉ＝１〜５，ｊ＝１〜５
マッピング関数は、表示ＲＡＭ１５における矩形領域の分割数（ここでは５）と同じ数だけ存在している。例えば図６に示す仮想画面２を副領域３３に表示する場合には、この仮想画面２は、マッピング関数ｆ４（Ｘ２，Ｙ２）＝（ｘ４，ｙ４）により、図７に示す閉域領域▲４▼に写像（平面座標マッピング）される。また、図６に示す例で番号１を付与された画面は、実画面（現表示画面）であり、主領域３１に表示されるべき画面であるので、マッピング関数ｆ３（Ｘ１，Ｙ１）＝（ｘ３，ｙ３）により、図７に示す閉域領域▲３▼に写像（平面座標マッピング）されることになる。
さらに、ＣＰＵ１２は、例えば図８に示すような仮想空間領域管理テーブルをメモリ１４に作成し、ディスプレイ１１での多次元バーチャルデスクトップ画面３０の表示状態を管理している。
図８に示す仮想空間領域管理テーブルでは、図７に示した座標系を用い、各閉域領域（表示仮想画面番号）▲１▼〜▲５▼の４頂点の座標が格納されるとともに、各閉域領域▲１▼〜▲５▼に現在表示されている画面番号（メモリ仮想空間番号）と、閉域領域▲１▼〜▲５▼のうちのどれが主領域３１であるかを特定するためのフラグ（特定領域フラグ）とが格納されている。なお、図８では、主領域３１となる閉域領域▲３▼の特定領域フラグの欄に“１”が設定され、その他の閉域領域の特定領域フラグの欄には“０”が設定されている。
図８におけるデータ格納例では、デスクトップ画面３０において、閉域領域▲３▼が主領域３１であり、閉域領域▲１▼〜▲５▼（領域３２，３５，３１，３３，３４）にそれぞれ図６に示す画面２，３，１，４，５が表示されることになる。
また、各閉域領域▲１▼〜▲５▼の各頂点には、頂点番号がシーケンシャルに付与されており、図８に示す仮想空間領域管理テーブルでは、頂点番号１から２への辺がデスクトップ画面３０内で上辺となるように、各頂点の座標が格納されている。
上述のごとく、ＣＰＵ１２は、図８に示すような仮想空間領域管理テーブルにより多次元バーチャルデスクトップ画面３０の表示状態を管理しながら、図６に示すような５つの画面１〜５を、図７に示すような表示ＲＡＭ座標に従ってディスプレイ１１に多次元バーチャルデスクトップ画面３０として表示させる。
次に、図９に示すフローチャート（ステップＳ２１〜Ｓ２８）に従って、上記仮想空間領域管理テーブルを用いて行なわれるＣＰＵ１２の表示切替動作について説明する。
本実施形態では、上述したように特定の副領域（特定の仮想空間）がマウス２０によって指定された場合、指定された副領域（仮想空間）がアクティブになり、また、それと同時に、マウス２０によって指定された座標にウィンドウが存在すれば、そのウィンドウもアクティブになる。
まず、オペレータ等が、マウス２０を用いてデスクトップ画面３０の特定位置をカーソル３６により指定しその位置でワンクリック操作を行なうと、ＣＰＵ１２は、そのワンクリック操作に応じて指定された位置の座標を取得する（ステップＳ２１）。ここでは、図８に示す仮想空間領域管理テーブルに従ってデスクトップ画面３０が表示されている状態で、オペレータ等が、図４に示すようにカーソル３６を配置してワンクリック操作を行ない、ＣＰＵ１２が、図７に示すような表示ＲＡＭ座標（ｍｘ，ｍｙ）を取得したものとする。
ＣＰＵ１２は、図８に示す仮想空間領域管理テーブルを探索し、取得した座標（ｍｘ，ｍｙ）が図７に示す閉域領域▲１▼〜▲５▼のどこに含まれているかを探索する（ステップＳ２２）。どの閉域領域▲１▼〜▲５▼のいずれにも含まれていない場合（ステップＳ２３のＮＯルート）、ＣＰＵ１２は異常終了し、オペレータ等に対するエラー通知等を行なう。
一方、座標（ｍｘ，ｍｙ）を含む閉域領域が特定された場合（ステップＳ２３のＹＥＳルート；ここでは閉域領域▲５▼）、ＣＰＵ１２は、下記のステップＳ２４〜Ｓ２６の処理を行なって図８に示す仮想空間領域管理テーブルを書き換える。これにより、仮想空間のローテーションが行なわれ、主領域３１の表示内容と指定された副領域（ここでは副領域３４）の表示内容との入れ替えが行なわれる。
つまり、ＣＰＵ１２は、仮想空間領域管理テーブルにおいて特定された閉域領域▲５▼のメモリ仮想空間番号欄に格納された番号（５）を、メモリ１４のワークエリアｗｋに書き込む（ステップＳ２４）。ついで、ＣＰＵ１２は、仮想空間領域管理テーブルにおいて特定領域フラグ“１”を設定された閉域領域▲３▼のメモリ仮想空間番号欄に格納された番号（１）を、閉域領域▲５▼のメモリ仮想空間番号欄に書き込む（ステップＳ２５）。そして、ＣＰＵ１２は、メモリ１４のワークエリアｗｋに書き込まれた番号（５）を、仮想空間領域管理テーブルにおいて特定領域フラグ“１”を設定された閉域領域▲３▼のメモリ仮想空間番号欄に書き込む（ステップＳ２６）。これにより、仮想空間領域管理テーブルにおいて、特定された閉域領域▲５▼のメモリ仮想空間番号５と、特定領域フラグを設定された閉域領域▲３▼のメモリ仮想空間番号１とが入れ替えられる。
この後、ＣＰＵ１２は、仮想画面５を実画面として主領域３１に表示すべく、マッピング関数ｆ３（Ｘ５，Ｙ５）＝（ｘ３，ｙ３）により、仮想画面５を表示ＲＡＭ１５の閉域領域▲３▼に写像（平面座標マッピング）するとともに、実画面１を仮想画面として副領域３４に表示すべく、マッピング関数ｆ５（Ｘ１，Ｙ１）＝（ｘ５，ｙ５）により、実画面１を表示ＲＡＭ１５の閉域領域▲５▼に写像（平面座標マッピング）する（ステップＳ２７）。
さらに、ＣＰＵ１２は、ステップＳ２１で取得された表示ＲＡＭ座標（ｍｘ，ｍｙ）を、逆マッピング関数により、その座標（ｍｘ，ｍｙ）を含む閉域領域内での座標に逆変換し、得られた座標位置でのクリックイベントをＯＳに通知する（ステップＳ２８，通知ステップ）。ここでは、表示ＲＡＭ座標（ｍｘ，ｍｙ）が閉域領域▲５▼に含まれているので、閉域領域▲５▼内での座標（Ｍｘ，Ｍｙ）が逆マッピング関数（Ｍｘ，Ｍｙ）＝ｆ５−１（ｍｘ，ｍｙ）によって算出される。
仮想空間のローテーションの完了後、主領域３１はＯＳ管理となるため、逆変換によって得られた座標（Ｍｘ，Ｍｙ）でのクリックイベントを、通常のマウスクリックが生じた場合と同様のイベントとしてＯＳに通知することにより、その座標（Ｍｘ，Ｍｙ）を含むウィンドウが存在すれば、そのウィンドウがＯＳによってアクティブ化される。ここでは、図４に示すように、座標（Ｍｘ，Ｍｙ）はウィンドウ３４ａに含まれているので、このウィンドウ３４ａが、図５に示すように、主領域３１においてウィンドウ３１ａ´としてアクティブ化されて表示されることになる。
上述のようにして表示内容の入れ替えやウィンドウのアクティブ化を完了すると、ＣＰＵ１２は、メモリ１４において確保した領域ｗｋや、テーブルを破棄して処理を終了する。
なお、ステップＳ２１で取得された座標（ｍｘ，ｍｙ）が、閉域領域▲３▼、つまり主領域３１に含まれている場合には、ＣＰＵ１２は、上述したステップＳ２４〜Ｓ２７の処理を行なうことなく、ステップＳ２８の処理を行なうことになる。
このように、本発明の一実施形態によれば、参照・更新対象画面を含む主領域３１とこの参照・更新対象画面以外の画面を含む４つの副領域３２〜３５とが、ディスプレイ１１においてデスクトップ画面３０として表示されるので、主領域３１に実画面を表示すると同時に副領域３２〜３５に実画面以外の仮想空間に存在する画面（仮想画面）を表示することができる。また、副領域３２〜３５のうちの一つを指定すると、デスクトップ画面３０において、主領域３１の表示内容と指定された副領域の表示内容とが入れ替えられて表示される。従って、従来のようなセレクタイメージが不要となって、セレクタイメージの存在が作業の妨げとなることがなくなる。
また、副領域３２〜３５のいずれか一つをマウスにより指定するだけで、指定された副領域に対応する画面を主領域３１に参照・更新対象画面として表示させることができるので、実画面の表示切替作業の煩雑さが解消されるとともに、デスクトップ画面３０上での作業を大幅に効率化することができる。
さらに、実画面上に表示されていない仮想空間の表示内容が、実画面での作業の妨げにならない程度に（表示内容の概略を視認可能な程度の解像度で）、実画面とともにデスクトップ画面３０上で表示されるので、オペレータ等は、仮想空間における複数のウィンドウ内に表示されている内容を参照・比較しながら操作することができる。従って、オペレータ等は、目的とするウィンドウがどこに存在するかを即座に認識することができ、従来のごとく表示切替作業を繰り返す必要がなくなり、デスクトップ画面３０上での作業効率をより高めることができる。
このとき、本実施形態では、デスクトップ画面３０の中央に実画面を表示する主領域３１を配置し、その外周を囲む４つの副領域３２〜３５を配置しこれらの副領域３２〜３５には、実画面以外の画面を含む仮想空間が表示されている。これらの副領域３２〜３５の外周部（ディスプレイ１１の周縁部分）では、表示される画像に歪が発生するが、このような歪が存在したとしても、副領域３２〜３５における表示内容の概略を確認するのに十分な情報量を、副領域３２〜３５にもたせることは可能である。
また、仮想空間の内容が視覚化されているため、マウス２０を用いて切替対象仮想空間（副領域３２〜３５のうちのいずれか一つ）を選択・指定すると同時に、目的のウィンドウを同時に選択することができるので、実画面の表示切替からウィンドウのアクティブ化までを一度の選択作業（マウス２０によるワンクリック操作）で行なうことが可能になり、デスクトップ画面３０上での作業効率をより高めることができる。
一方、従来のバーチャルデスクトップ表示手法では、ウィンドウを異なる領域に移動させる際、実画面の表示切替を行なう必要があったが、本実施形態では、実画面の表示切替を行なうことなく、マウス３０の操作に応じて主領域３１と副領域３２〜３５のうちのいずれか一つとの間でウィンドウの移動を行なうことが可能になり、オペレータ等の利便性が大幅に向上する。
同様に、従来のバーチャルデスクトップ表示手法では、仮想空間に存在するウィンドウへファイルのドラッグドロップ操作を行なう場合、実画面の表示切替を行なう必要があったが、本実施形態では、実画面の表示切替を行なうことなく、マウス３０の操作に応じて主領域３１から副領域３２〜３５のうちのいずれか一つへのファイルのドラッグドロップ操作を行なうことが可能になり、オペレータ等の利便性が大幅に向上する。
なお、本発明は上述した実施形態に限定されるものではなく、本発明の趣旨を逸脱しない範囲で種々変形して実施することができる。
例えば、上述した実施形態のデスクトップ画面３０では、図２〜図４に示すごとく、直方体が立体的に表示され、中央の領域が主領域３１として用いられ、この主領域３１を囲む４つの外周面の領域がそれぞれ４つの副領域３２〜３５として用いられているが、本発明のデスクトップ画面は、これに限定されるものではなく、直方体以外の多面体を表示しその多面体の各面を主領域や副領域として用いてもよいし、例えば図１０（Ａ）〜図１０（Ｃ）にそれぞれ示すようなもの（デスクトップ画面１０Ａ〜１０Ｃ）を用いてもよいし、本願明細書に開示された、主領域や副領域の形状，分割数，大きさ，配置状態に限定されるものでなく、これらの形状，分割数，大きさ，配置状態等は、動的に自由に変更できるものである。
ここで、図１０（Ａ）に示すデスクトップ画面１０Ａでは、画面上部の大矩形領域が主領域３１Ａとして用いられ、画面下部領域を４つに分割して得られる小矩形領域が副領域３２Ａ〜３５Ａとして用いられる。図１０（Ｂ）に示すデスクトップ画面１０Ｂでは、画面左側の大矩形領域が主領域３１Ｂとして用いられ、画面右側領域を４つに分割して得られる小矩形領域が副領域３２Ｂ〜３５Ｂとして用いられる。図１０（Ｃ）に示すデスクトップ画面１０Ｃでは、画面中央に八角形領域が主領域３１Ｃとして用いられ、この主領域３１Ｃの外周領域を８つに分割して得られる小領域が副領域３２Ｃ〜３９Ｃとして用いられる。
【産業上の利用可能性】  以上のように、本発明によれば、主領域に実画面を表示すると同時に副領域に実画面以外の仮想空間に存在する画面を表示できるとともに、副領域のうちの一つを指定すると、デスクトップ画面において、主領域の表示内容と指定された副領域の表示内容とが入れ替えられて表示される。これにより、セレクタイメージの存在が作業の妨げとなることがなくなるほか、実画面の表示切替作業の煩雑さが解消され、デスクトップ画面上での作業を大幅に効率化することができる。
従って、本発明は、例えばパーソナルコンピュータやワークステーション等のディスプレイ（表示部）でデスクトップ画面を表示する際に用いて好適であり、その有用性は極めて高いものと考えられる。
【図１】
2004051452.tif 000003
【図２】
2004051452.tif 000004
【図３】
2004051452.tif 000005
【図４】
2004051452.tif 000006
【図５】
2004051452.tif 000007
【図６】
2004051452.tif 000008
【図７】
2004051452.tif 000009
【図８】
2004051452.tif 000010
【図９】
2004051452.tif 000011
2004051452.tif 000012
【図１１】
2004051452.tif 000013
【図１２】
2004051452.tif 000014
【図１３】
2004051452.tif 000015
【図１４】
2004051452.tif 000016
【図１５】
2004051452.tif 000017
【図１６】
2004051452.tif 000018
【国際調査報告】
2004051452.tif 000019
2004051452.tif 000020
2004051452.tif 000021